(57)【特許請求の範囲】
【請求項１】
軸線が前後方向に延びる軸受け筒部と、この軸受け筒部の前端部に設けられる鍔部とを具備し、鍔部を筐体の扉の前面に当接させて当該扉に固着されるハンドルケースと、
前記ハンドルケースの軸受け筒部内に施錠位置と解錠位置との間で軸周り回転可能かつ前後に移動不能に嵌挿される内筒と、
前記内筒の後端部に連結され、扉を筐体に対して錠止する施錠位置と解放する解錠位置との間で内筒と一体に正逆回転する錠止部材と、
概略円筒状のハンドル軸部と、このハンドル軸部の前端からハンドル軸部の軸線に直交方向に延出するハンドル板部とを具備するハンドルであって、ハンドル軸部は、前記内筒に軸周り回転不能に嵌挿され、前記ハンドルケース内に没する没入位置とハンドルケースから突出する突出位置との間で内筒に対して前後に摺動自在で、突出位置において前記内筒と一体に施錠位置と解錠位置との間を回転操作可能に構成され、ハンドル板部は、ハンドル軸部に連通する開口を有し、没入位置において前記ハンドルケースの鍔部の前面に当接するように構成されるハンドルと、
前記ハンドル軸部の後部に設けられ、没入位置にあるハンドル軸部を前記内筒に対して拘束し、又は解放する施錠機構と、
前記内筒と前記ハンドル軸部との間に挿入され、前記ハンドル軸部を前方に付勢することにより、ハンドル軸部が前記内筒から解放されたときハンドル軸部を突出位置へ押し出すばね部材と、
前記ハンドル軸部の前部に組み込み固定され、キー操作によるロータのロック位置と非ロック位置間の回転によって前記施錠機構を拘束又は解放動作させるように駆動する錠前ユニットと、
を具備するポップアウト型扉用ロックハンドル装置において、
前記錠前ユニットは、外周にねじ部を有すると共に対向側面部に軸線と平行な一対の平坦面を有する円筒状の錠前ケースと、外周に環状溝を有し錠前ケースの外周に螺合固定される固定リングとを具備し、
前記ハンドル軸部は、前記固定リングに対応する位置において外周に開放する挿入用開口と、この挿入用開口の後端面に連続する内周段部とを具備し、
前記挿入用開口を通して前記ハンドル軸部に軸線直交方向に挿入係止され、前記錠前ケース及び前記固定リングに係合して、前記錠前ユニットをハンドル軸部内に固定する錠前固定部材を備え、
前記錠前固定部材は、固定金具と、当該固定金具に取り付けられた固定ばねとからなり、
前記錠前固定部材の固定金具は、前記固定リングの外周に沿う円弧状の頭部と、この頭部の両端から前記錠前ケースの一対の平坦面に沿うように互いに平行に伸びる一対の脚部とを具備し、
前記固定金具の脚部は、前記固定リングの環状溝に係合する係合突条と、前記錠前ケースの平坦面に沿う回り止め突条とを具備し、
前記錠前固定部材の固定ばねは、概略Ｕ字状で中間部に固定金具の頭部内側に沿う頂部と、両端部に固定金具の脚部の内側に沿って伸びる一対の脚部とを具備し、頂部において固定金具の頭部内側に係止され、脚部は前記固定リングの環状溝に弾発力をもって係合することにより固定金具を固定リングに対して半径方向に抜け止めするように構成されることを特徴とするポップアウト型扉用ロックハンドル装置。
【発明の詳細な説明】
【技術分野】
【０００１】
本発明は、自動販売機等の筐体の扉に使用され、ハンドル軸部に組み込まれた錠前ユニットのロータを正規のキーで所定方向に回すと、ハンドルがハンドルケースから突出し、このハンドルを回すことにより扉の解錠操作が可能となるポップアウト型の扉用ロックハンドル装置に関する。
【背景技術】
【０００２】
扉用のポップアウト型ロックハンドル装置が特許文献１に記載されている。このロックハンドル装置は、扉に固着されるハンドルケースと、ハンドルケースの軸受け筒部に回転可能かつ前後に移動不能に嵌挿される内筒と、内筒の後端部に連結され扉を筐体に対して錠止する錠止部材と、内筒に回転不能かつ突出位置と没入位置の間を前後に摺動可能に嵌挿されるハンドル軸部と、内筒とハンドル軸部間に挿入されハンドル軸部を突出位置へ移動付勢するばね部材と、ハンドル軸部の後部に設けられハンドル軸部の前後方向進退動を内筒に対して拘束する施錠機構と、ハンドル軸部の前部の錠前格納部に組み込み固定されロータの回転によって施錠機構を直接または間接的に駆動して、ハンドル軸部の移動拘束を解除する錠前ユニットと、を具備する。施錠機構は、錠前ユニットのロータの先端が結合されたカムと、このカムに基端側が係合された相互に逆向きの２つのデッドボルトと、デッドボルトを施錠方向へ付勢するばねとを具備する。２つのデッドボルトは、ハンドル軸部の開口を貫通し、ハンドル軸部から相互に逆向きの軸線直交方向へ突出したロック位置とハンドル軸部内へ引き込まれた非ロック位置との間を進退自在で、ばねによりロック位置に付勢される。ハンドル軸部が没入位置へ押し込まれ、開口が内筒の係合凹部と対向したとき、デッドボルトが自動的にロック位置に移動して係合凹部に係合することにより、ハンドル軸部が没入位置に拘束される。錠前の解錠操作に伴うカムの回転により、デッドボルトが非ロック位置へ引き込まれると、内筒との係合が外れ、ばね部材の付勢力によりハンドルケースから前方へ突出する。この状態で、ハンドル軸部の回転操作による扉の解錠が可能となる。閉扉後、ハンドル軸部をハンドルケース内へ押し込むと、再び自動的にロック状態となる。錠前ユニットの頭部は硬質材のガードフードの筒部に嵌合される。ガードフードの筒部の前端周縁の外向き鍔部は、ハンドル軸部の錠前格納部前端の環状凹部に嵌合される。錠前ユニットの頭部と主体胴部間にある段差肩面部は、ガードフードの筒部の後端周縁の内向き鍔部に当接する。主体胴部の外周螺子部に螺合された固定リングが、ガードフードの内向き鍔部に当接する。ハンドル軸部の横断方向の受孔に、二又脚部を有するＵ字形固定金具が嵌挿される。脚部の制止突起が固定リングの外周溝に係合し、固定リングを軸方向に抜け止めする。固定金具は、ハンドル軸部にビスによって締付け固着される。
【先行技術文献】
【特許文献】
【０００３】
【特許文献１】特開２００７−４６４１９号公報
【発明の概要】
【発明が解決しようとする課題】
【０００４】
特許文献１に記載のロックハンドル装置においては、二又脚部を有するＵ字形固定金具がハンドル軸部の横断方向の受孔に嵌挿され、ハンドル軸部にビスによって締付け固着される。この構造は、ハンドル軸部にねじ孔を有するビス受け部を設ける比較的複雑な構造を要するし、部品点数が多く、また組立に手数を要し、コスト押し上げる一因となっている。
したがって、本発明は、錠前固定部材の部品点数を削減して構造を簡易化することにより、低コスト化が可能な、扉のポップアウト型ロックハンドル装置を提供することを目的としている。
【課題を解決するための手段】
【０００５】
以下、添付図面の符号を参照して説明するが、本発明はこれに限定されるものではない。
上記課題を解決するための、本発明のロックハンドル装置１は、ハンドルケース２、内筒３、錠止部材４、ハンドル５、ばね部材６、施錠機構７、錠前ユニット８を具備する。
ハンドルケース２は、前後方向に延びる軸受け筒部９と、この軸受け筒部９の前端部に設けられる鍔部１０とを具備し、鍔部１０を筐体の扉Ｄの前面に当接させて当該扉Ｄに固着される。
内筒３は、ハンドルケース２の軸受け筒部９内に回転可能かつ前後に移動不能に嵌挿される。
錠止部材４は、内筒３の後端部に連結され、扉Ｄを筐体に対して錠止する施錠位置と、解放する解錠位置との間で内筒３と一体に正逆回転する。
ハンドル５は、概略円筒状のハンドル軸部１１と、このハンドル軸部１１の前端からハンドル軸部１１の軸線に直交方向に延出するハンドル板部１２とを具備する。ハンドル軸部１１は、内筒３に軸周り回転不能に嵌挿される。したがって、ハンドル軸部１１は、ハンドルケース２に対して内筒３、錠止部材４と一体回転可能である。また、ハンドル軸部１１は、ハンドルケース２内に没する没入位置と、ハンドルケース２から突出する突出位置との間で内筒３に対して前後に摺動自在であり、突出位置において、ハンドルケース２に対して内筒３と一体に施錠位置と解錠位置との間を回転操作可能となる。ハンドル板部１２は、ハンドル軸部１１に連通する開口１３を有し、没入位置においてハンドルケース２の鍔部１０の前面に当接するように構成される。
ばね部材６は、内筒３とハンドル軸部１１との間に挿入され、ハンドル５を前方突出方向へ付勢する。
施錠機構７は、ハンドル軸部１１の後部に設けられ、ハンドル軸部１１を没入位置で内筒３に対して前後方向に拘束し、又は解放する。
錠前ユニット８は、ハンドル軸部１１の前部に組み込み固定され、キー操作によるロータ１４のロック位置と非ロック位置間の回転によって、施錠機構７を拘束又は解放動作させるように駆動する。
錠前ユニット８は、円筒状の錠前ケース４９と固定リング５０とを具備する。錠前ケース４９は、外周にねじ部５１を有すると共に、対向側面部に軸線と平行な一対の平坦面５２を有する。固定リング５０は、外周に環状溝５３を有し、錠前ケース４９の外周ねじ部５１に螺合固定される。
ハンドル軸部１１は、固定リング５０に対応する位置において外周に開放する挿入用開口と、この挿入用開口５５の後端面に連続する内周段部６８とを具備する。
錠前ユニット８をハンドル軸部１１内に固定するための錠前固定部材５４は、挿入用開口５５を通してハンドル軸部１１に軸線直交方向に挿入係止され、錠前ケース４９と固定リング５０とに係合する。
錠前固定部材５４は、固定金具５６と、当該固定金具５６に取り付けられた固定ばね５７とからなる。固定金具５６は、固定リング５０の外周に沿う円弧状の頭部５８と、この頭部５８の両端から錠前ケース４９の一対の平坦面５２に沿うように互いに平行に伸びる一対の脚部５９と具備する。脚部５９は、固定リング５０の環状溝５３に係合する係合突条６０と、錠前ケース４９の平坦面５２に沿う回り止め突条６１とを具備する。固定ばね５７は、固定金具５６の頭部５８内側に沿う概略円弧状の頂部６２と、当該頂部６２の両端に連続して固定金具５６の脚部５９の内側に沿って伸びる一対の脚部６３とを具備する。頂部６２は、固定金具５６の頭部５８の内側に係止され、脚部６３は固定リング５０の環状溝５３に弾発力をもって係合する。固定ばね５７により、固定金具５６を固定リング５０に対して半径方向に抜け止めする。
【発明の効果】
【０００６】
本発明のポップアウト型ロックハンドル装置は、錠前固定部材５４を、固定金具５６と、固定ばね５７とから構成することにより、部品点数の削減と構造の簡易化を図ることができ、これにより低コスト化が可能となる。
【図面の簡単な説明】
【０００７】
【図１】本発明に係る扉のポップアウト型ロックハンドル装置の分解斜視図である。
【図２】図１のロックハンドル装置の断面図である。
【図３】図１のロックハンドル装置のハンドルが突出位置にある断面図である。
【図４】図１のロックハンドル装置の正面図である。
【図５】図１のロックハンドル装置の背面図である。
【図６】図１のロックハンドル装置における施錠機構の動作の過程を説明するもので、（ａ）は図２におけるＡ−Ａ断面図、（ｂ）は図２におけるＢ−Ｂによるカム部分の断面図である。
【図７】図１のロックハンドル装置における施錠機構の動作の過程を説明するもので、（ａ）は図２におけるＡ−Ａ断面図、（ｂ）は図２におけるＢ−Ｂによるカム部分の断面図である。
【図８】図１のロックハンドル装置における施錠機構の動作の過程を説明するもので、（ａ）は図２におけるＡ−Ａ断面図、（ｂ）は図２におけるＢ−Ｂによるカム部分の断面図である。
【図９】図１のロックハンドル装置における施錠機構の動作の過程を説明するもので、（ａ）は図３におけるＡ−Ａ断面図、（ｂ）は図３におけるＢ−Ｂによるカム部分の断面図である。
【図１０】図２におけるＣ−Ｃ断面図である。
【図１１】図１のロックハンドル装置のハンドルケースの正面図である。
【図１２】図１のロックハンドル装置のハンドルケースの背面図である。
【図１３】図１のロックハンドル装置のハンドルケースの断面図である。
【図１４】図１のロックハンドル装置の内筒の正面図である。
【図１５】図１のロックハンドル装置の内筒の側面図である。
【図１６】図１のロックハンドル装置の内筒の背面図である。
【図１７】図１のロックハンドル装置の内筒の断面図である。
【図１８】図１のロックハンドル装置のハンドルの正面図である。
【図１９】図１のロックハンドル装置のハンドルの側面図である。
【図２０】図１のロックハンドル装置のハンドルの背面図である。
【図２１】図１のロックハンドル装置のハンドルの断面図である。
【図２２】図１のロックハンドル装置のロータカムの正面図である。
【図２３】図１のロックハンドル装置のロータカムの側面図である。
【図２４】図１のロックハンドル装置のロータカムの背面図である。
【図２５】図１のロックハンドル装置のジョイントカムの正面図である。
【図２６】図１のロックハンドル装置のジョイントカムの側面図である。
【図２７】図１のロックハンドル装置のジョイントカムの背面図である。
【図２８】図１のロックハンドル装置の錠前固定部材の正面図である。
【発明を実施するための形態】
【０００８】
図面を参照して本発明の実施の形態を説明する。
図１，２において、ロックハンドル装置１は、ハンドルケース２、内筒３、錠止部材４、ハンドル５、ばね部材６、施錠機構７、錠前ユニット８を具備する。
【０００９】
図１，２，１３において、ハンドルケース２は、前後方向に延びる軸受け筒部９と、この軸受け筒部９の前端部に設けられる鍔部１０とを具備し、図２示すように、鍔部１０の後面を筐体の扉Ｄの前面に当接させて当該扉Ｄに固着される。鍔部１０の前面には、ハンドル５のハンドル板部１２を受け入れる凹部３２が形成される。
【００１０】
図１，２において、内筒３は、ハンドルケース２の軸受け筒部９内に施錠位置と解錠位置との間で約９０°軸周り相対回転可能に嵌挿され、かつ前方のフランジ部２８とこれに固着される後方の錠止部材４とにより、軸受け筒部９に対して前後に移動不能とされる。内筒３は、前方に開放し、後方は端壁２９で閉じられる。内筒３の端壁２９は、軸受け筒部９の後方へ露出し、その後面に錠止部材４が固着される。フランジ部２８の後面に形成されたストッパ突起３０（図１５）が、ハンドルケース２の軸受け筒部９の内周前縁部に形成されたほぼ９０°の円弧状凹部３１（図１１）に嵌合することで、内筒３の回転範囲が約９０°に規制される。内筒３の軸受け筒部９への嵌め込み角度を１８０°変更することで、内筒３の回転方向を変更することができる。
【００１１】
図１ないし図３において、錠止部材４は、内筒３の端壁２９の後面に固着され、扉Ｄを筐体に対して錠止する施錠位置と、解放する解錠位置との間で、ハンドルケース２に対して内筒３と一体に約９０°の範囲で正逆回転可能である。
【００１２】
図１，２，１９において、ハンドル５は、概略円筒状のハンドル軸部１１と、このハンドル軸部１１の前端からハンドル軸部１１の軸線に直交方向に延出するハンドル板部１２とを具備する。図２に示すように、ハンドル軸部１１は、内筒３に軸周り相対回転不能に嵌挿される。したがって、ハンドル５は、ハンドルケース２に対して内筒３、錠止部材４と一体回転可能である。また、ハンドル５は、ハンドルケース２内に没する没入位置（図２）と、ハンドルケース２から突出する突出位置（図３）との間で内筒３に対して前後に摺動自在であり、突出位置において、ハンドルケース２に対して内筒３と一体に施錠位置（図４における実線）と解錠位置（図４における仮想線）との間を回転操作可能となる。ハンドル板部１２は、ハンドル軸部１１に連通して前方に開放する開口１３を有し、没入位置においてハンドルケース２の鍔部１０の凹部３２内に没するように構成される。
【００１３】
図１ないし３において、ばね部材６は、内筒３の端壁２９とハンドル軸部１１との間に挿入され、ハンドル５を前方突出方向へ付勢する。
【００１４】
施錠機構７は、ハンドル軸部１１の後部に組み込まれ、錠前ユニット８の施解錠操作に連動し、ハンドル軸部１１を没入位置で内筒３に対して前後方向に拘束し、又は解放する。
【００１５】
錠前ユニット８は、ハンドル軸部１１の前部に組み込み固定され、キー操作によるロータ１４のロック位置と非ロック位置間の回転によって、施錠機構７を拘束又は解放動作させるように駆動する。
【００１６】
施錠機構７は、デッドボルト１５、ロータカム１６、ジョイントカム１７を具備する。デッドボルト１５は、図６（ａ）に示すように、ハンドル軸部１１からそれの半径方向に突出したロック位置と、図８（ａ）に示すように、ハンドル軸部１１内に没入した非ロック位置との間を半径方向に進退自在にハンドル軸部１１に組み込まれ、ばね２４でロック位置に付勢される。
【００１７】
ロータカム１６とジョイントカム１７は、錠前ユニット８のロータ１４の回転を順次デッドボルト１５へ伝えるもので、ロック位置と非ロック位置との間を軸周り回転自在にハンドル軸部１１内に組み込まれる。ロータカム１６とジョイントカム１７は、錠前ユニット８のロータ１４の非ロック方向への回転に応動して非ロック方向へ回転することにより、デッドボルト１５を非ロック位置（図８（ａ））へ後退させる。ロータカム１６は、駆動係合部２５を有し、ジョイントカム１７は、駆動係合部２５に係合する受動係合部２６を有する。
【００１８】
図２，３，２１において、ハンドル軸部１１の内部には、前方に錠前収容空間３３、後方にカム収容空間３４が形成される。錠前収容空間３３は、開口１３により前方に開放する。カム収容空間３４は、錠前収容空間３３の後方に、内周段部６８を介して、それより小内径に形成される。ハンドル軸部１１の後端壁３５には、ロータカム１６の後端部を回転自在に支持する軸受け孔３６が形成され、軸受け部を構成している。図１８に示すように、軸受け孔３６の外周側に、ロータカム１６の回転角度を規制する扇型係合凹部４６が形成される。図２１に示すように、カム収容空間３４の後部の周壁４１には、ボルト出入開口１８が形成される。ボルト出入開口１８は、ハンドル軸部１１の外周に開放し、図６（ａ）に示すように、デッドボルト１５を半径方向に出没自在に保持する。図６，１９，２０に示すように、ハンドル軸部１１の外周には、頭部を外方へ突出させてガイドボルト３７が固着されている。図１，１９に示すように、錠前収容空間３３の周壁４１には、錠前固定部材５４を挿入するための開口５５が形成される。
【００１９】
図６ないし図８，１７において、内筒３は、周壁３８に、ハンドル軸部１１のボルト出入開口１８に対応する貫通開口１９を具備する。すなわち、貫通開口１９は、ハンドル５が没入位置（図２）にあるとき、図６，７に示すように、ハンドル軸部１１のボルト出入開口１８と対向することにより、ボルト出入開口１８から突出するデッドボルト１５を貫通させてロック位置に移動させ、これをハンドルケース２に係合させることによりハンドル５を没入位置に拘束するように配置される。ハンドル５が没入位置にないときは、図９に示すように、周壁３８でデッドボルト１５を押さえ、これを非ロック位置に保持する。図１５に示すように、内筒３の周壁３８には、ガイドボルト３７を摺動自在に受け入れる軸線方向のガイド長孔３９が形成される。したがって、ハンドル５は、ガイドボルト３７（図１９，２０）が長孔３９に沿って移動する範囲で内筒３に対して前後方向に移動可能である。
【００２０】
図１２，１３に示すように、ハンドルケース２の軸受け筒部９の後部内周には、係合凹部２０が形成される。係合凹部２０は、ハンドル５が施錠位置で没入位置にあるとき（図２）、ボルト出入開口１８及び貫通開口１９に対向する。このとき、デッドボルト１５が、貫通開口１９からロック位置へ突出し、係合凹部２０に係合し（図６，７）、それによりハンドル５を施錠位置に拘束する。
【００２１】
図１、図６（ａ）に示すように、デッドボルト１５は、頭部２１と、頭部２１から延出する平行一対の脚部２２とを具備する。頭部２１は、ロック位置において軸受け筒部９の係合凹部２０に係合する。デッドボルト１５は、ボルト出入開口１８からハンドル軸部１１内に、半径方向に相対移動自在に組み込まれる。デッドボルト１５は、図２，３に示すように、ハンドル軸部１１の後端壁３５とジョイントカム１７との間に配置され、一対の脚部２２の間に、ロータカム１６の軸筒部４０を前後方向に貫通させる。脚部２２の先端とハンドル軸部１１の周壁４１の内側との間にばね２４が介設され、これよりデッドボルト１５は、ロック位置に付勢される。図１、図６（ａ）に示すように、一方の脚部２２の前面側には、ジョイントカム１７と係合する受動係合部２３が形成される。
【００２２】
図６（ａ）に示すように、デッドボルト１５の受動係合部２３は、ジョイントカム１７の駆動係合部２７を受け入れるように、前面側に設けられた凹部からなる。受動係合部２３は、駆動係合部２７を挟んで相対向する一端面４２と他端面４３とを具備する。一端面４２は、ロック位置おいてジョイントカム１７の駆動係合部２７に突っ張り係合して非ロック位置への移動を阻止されるように配置され、他端面４３は、非ロック位置へ回転するジョイントカム１７の駆動係合部２７により非ロック位置へ押し動かされるように配置される、
【００２３】
図２，６に示すように、ロータカム１６は、ロック位置と非ロック位置の間を軸周り正逆回転自在に、ハンドル軸部１１内に組み込まれる。図２２ないし２４に示すように、ロータカム１６は、錠前ユニット８のロータ１４を受ける軸筒部４０と、この軸筒部４０の前端部に形成されたフランジ部４４と、このフランジ部４４の外周に突設された扇型の駆動係合部２５と、軸筒部４０の外周に軸線方向に延びるように形成された突条４５とを具備する。駆動係合部２５の円周方向の一端面が、ジョイントカム１７の受動係合部２６と係合する駆動面となる。図２，６に示すように、ロータカム１６の軸筒部４０は、突条４５を扇型係合凹部４６に係合させて、後端部においてハンドル軸部１１の軸受け孔３６に支承される。したがって、ロータカム１６は、扇型係合凹部４６の角度範囲で、錠前ユニット８のロータ１４と一体に、ハンドル軸部１１に対してロック位置（図６）と非ロック位置（図８）の間を軸周り正逆回転自在である。
【００２４】
図２，３に示すように、ジョイントカム１７は、デッドボルト１５の前端面とロータカム１６のフランジ部４４との間に挟まれるように、ハンドル軸１１内に組み込まれる。図２５ないし図２７に示すように、ジョイントカム１７は、リング状の本体４７と、それの前面側縁部に沿い所定角度範囲にわたって円弧状に伸びるように突設された受動係合部２６と、後面側に突設された駆動係合部２７とを具備する。
【００２５】
ジョイントカムの本体４７は、ロータカム１６の軸筒部４０を貫通させる軸受け孔６５と、その外周の扇型凹部６６を有し、図２，３に示すように、軸筒部４０に軸周り相対回転自在に外嵌される。扇型凹部６６には、軸筒部４０の係合突条４５が係合する。本体４７の前面は、ロータカム１６のフランジ部４４の後面に摺接し、本体４７の後面がデッドボルト１５の前面に摺接する。受動係合部２６の一端４８は、ロータカム１６の駆動係合部２５に係合する受動面となる。受動係合部２６の一端４８と他端６７との間に駆動係合部２５が位置し、ロータカム１６とジョイントカム１７との空転域が形成される。
【００２６】
受動係合部２６は、ロータカム１６が非ロック位置へ回転する時にロータカム１６の駆動係合部２５に係合してジョイントカム１７を非ロック位置（図８）への回転させるように配置される。
【００２７】
駆動係合部２７は、デッドボルト１５がロック位置にある時、デッドボルト１５の受動係合部２３の一端面４２に突っ張り係合（図６）してデッドボルト１５が非ロック位置への移動するのを阻止すると共に、ジョイントカム１７が非ロック位置への回転する時、デッドボルト１５の受動係合部２３の他端面４３に係合してデッドボルト１５を非ロック位置へ移動させように配置される。
【００２８】
図１，２に示すように、錠前ユニット８は、錠前ケース４９と、固定リング５０とを具備する。錠前ケース４９は、円筒状で外周にねじ部５１を有すると共に、対向側面部に軸線と平行な一対の平坦面５２を有する。固定リング５０は、外周に環状溝５３を有し、錠前ケース４９の外周に螺合固定される。錠前ケース４９と固定リング５０との間には、硬質材からなるガードフード６４が介設される。
【００２９】
図１，２，１０に示すように、錠前ユニット８をハンドル軸１１内に固定するための錠前固定部材５４が、ハンドル軸１１の挿入用開口５５を通して軸線直交方向に挿入される。錠前固定部材５４は、固定金具５６と、これに取り付けられた固定ばね５７とからなる。
【００３０】
図２，１０，２８に示すように、固定金具５６は、固定リング５０の外周に沿う円弧状の頭部５８と、この頭部の両端から錠前ケース４９の一対の平坦面５２に沿うように互いに平行に伸びる一対の脚部５９とを具備する。脚部５９は、固定リング５０の環状溝５３に係合する係合突条６０（図２）と、錠前ケース４９の平坦面５２に沿う回り止め突条６１とを具備する。
【００３１】
図１０，２８に示すように、固定ばね５７は、固定金具５６の内側面に沿うように固定金具５６に係止される。すなわち、固定ばね５７は、頂部６２と、その両側に延びる一対の脚部６３とを具備する。頂部６２は、概略円弧状で、固定金具５６の頭部５８の内側に沿い、脚部６３は、頂部６２の両端に連続して固定金具５６の脚部５９の内側に沿って伸びる。固定ばね５７は、頂部６２において固定金具の頭部５８内側に係止され、脚部６３は固定リング５０の環状溝５３に弾発力をもって係合することにより、固定金具５６を固定リング５０に対して半径方向に抜け止めするように構成される。
【００３２】
いま、扉Ｄが錠止部材４により閉鎖状態で筐体に錠止されている図２、図６に示す状態から、扉Ｄの錠止を解き、これを開いて作業完了後、再び閉鎖して錠止するまでの過程を説明する。
【００３３】
図２、図６に示す状態で、錠止部材４は施錠位置にあり、ハンドル５はハンドルケース２に没入し、デッドボルト１５はハンドルケース２の係合凹部２０に係合したロック位置、錠前ユニット８のロータ１４、ロータカム１６、ジョイントカム１７もすべてロック位置にある。
【００３４】
この状態から、錠前にキーを挿入して図６，１０において時計方向に約９０°回転すると、図７の状態を経て、ロータカム１６の駆動係合部２５が受動係合部２６の受動面４８当接し、ジョイントカム１７を図８に示す非ロック位置へ持ち来す。
【００３５】
この間、ジョイントカム１７の駆動係合部２７がデッドボルト１５の受動係合部２３の他端面４３を押しながら、デッドボルト１５を非ロック位置へ引き込む。デッドボルト１５が内筒３の貫通開口１９から抜けると同時に、ばね部材６によりハンドル５がハンドルケース２から押し出され、デッドボルト１５が内筒３の周壁３８により非ロック位置に保持された図９の状態となる。
【００３６】
なお、デッドボルト１５をロック位置から非ロック位置へ移動させる際のジョイントカム１７の回転角度は、ロータ１４及びロータカム１６の回転角度９０°より小さい。ロータカム１６とジョイントカム１７との間の空転域によって、錠前のロータ１４の回転角度範囲と、ジョイントカム１７の有効回転角度との調整を図る。ハンドル５がハンドルケース２から突出した図９の状態で、キーは、ロータカム１６と共に非ロック位置へ戻して錠前から抜き取ることができる。
【００３７】
図９の状態で、ハンドル５を握って、例えば、これを時計方向へ９０°回転させると、内筒３と共に、錠止部材４が解錠位置へ回転し、図示しない筐体の対応係合部から外れるので、ドアＤを開くことができる。所要の作業が完了してドアＤを閉じ、ハンドル５を内筒３及び錠止部材４と共に、反時計方向へ９０°回転させて施錠位置へ戻し、ドアＤを筐体に錠止すると、図９の状態に戻る。
【００３８】
図９の状態で、ハンドル５をハンドルケース２内へ押し込むと、内筒３の貫通開口１９とハンドルケース２の係合凹部２０とが対向した図８の位置で、デッドボルト１５がばね２４に押されて自動的にハンドル軸部１１から突出して係合凹部２０に係合し、図６の状態に戻る。このとき、ジョイントカム１７もデッドボルト１５に押されてロック位置に戻る。なお、図９の状態で錠前からキーを抜き取ってない場合、デッドボルト１５の突出に伴って、ジョイントカム１７が逆転し、受動面４８が駆動係合部２５を押し、ロータカム１６を逆転させることにより、錠前のロータ１４が自動的に施錠位置に戻るので、この状態においてキーを錠前から抜き取ることができる。
【００３９】
図６の状態において、デッドボルト１５を非ロック位置へ移動させる方向の不正な外力が加えられても、デッドボルト１５の受動係合部２３の一端面４２とジョイントカム１７の駆動係合部２７とが突っ張り係合して、ジョイントカム１７が非ロック位置へ押し回されることはなく、したがって、デッドボルト１５が非ロック位置へ押し込まれることはない。
【００４０】
本発明のポップアウト型ロックハンドル装置１は、錠前固定部材５４を、固定金具５６と、固定ばね５７とから構成することにより、部品点数の削減と構造の簡易化を図ることができ、組立も容易であり、これにより低コスト化が可能となる。
【符号の説明】
【００４１】
１    ロックハンドル装置
２    ハンドルケース
３    内筒
４    錠止部材
５    ハンドル
６    ばね部材
７    施錠機構
８    錠前ユニット
９    軸受け筒部
１０  鍔部
１１  ハンドル軸部
１２  ハンドル板部
１３  開口
１４  ロータ
１５  デッドボルト
１６  ロータカム
１７  ジョイントカム
１８  ボルト出入開口
１９  貫通開口
２０  係合凹部
２１  頭部
２２  脚部
２３  受動係合部
２４  ばね
２５  駆動係合部
２６  受動係合部
２７  駆動係合部
２８  フランジ部
２９  端壁
３０  ストッパ突起
３１  円弧状凹部
３２  凹部
３３  錠前収容空間
３４  カム収容空間
３５  後端壁
３６  軸受け孔
３７  ガイドボルト
３８  周壁
３９  長孔
４０  軸筒部
４１  周壁
４２  一端面
４３  他端面
４４  フランジ部
４５  突条
４６  扇型係合凹部
４７  本体
４８  受動面
４９  錠前ケース
５０  固定リング
５１  ねじ部
５２  平坦面
５３  環状溝
５４  錠前固定部材
５５  挿入用開口
５６  固定金具
５７  固定ばね
５８  頭部
５９  脚部
６０  係合突条
６１  回り止め突条
６２  頂部
６３  脚部
６４  ガードフード
６５  軸受け孔
６６  扇型凹部
６７  他端
６８  内周段部
Ｄ    扉
【図１】
0005982441.tif 000002
【図２】
0005982441.tif 000003
【図３】
0005982441.tif 000004
【図４】
0005982441.tif 000005
【図５】
0005982441.tif 000006
【図６】
0005982441.tif 000007
【図７】
0005982441.tif 000008
【図８】
0005982441.tif 000009
【図９】
0005982441.tif 000010
【図１０】
0005982441.tif 000011
【図１１】
0005982441.tif 000012
【図１２】
0005982441.tif 000013
【図１３】
0005982441.tif 000014
【図１４】
0005982441.tif 000015
【図１５】
0005982441.tif 000016
【図１６】
0005982441.tif 000017
【図１７】
0005982441.tif 000018
【図１８】
0005982441.tif 000019
【図１９】
0005982441.tif 000020
【図２０】
0005982441.tif 000021
【図２１】
0005982441.tif 000022
【図２２】
0005982441.tif 000023
【図２３】
0005982441.tif 000024
【図２４】
0005982441.tif 000025
【図２５】
0005982441.tif 000026
【図２６】
0005982441.tif 000027
【図２７】
0005982441.tif 000028
【図２８】
0005982441.tif 000029